(57)【要約】 【課題】安定化二酸化塩素水溶液の霧粒子のうち比較的大きな粒径の粒子を除去し、室内を濡らすことなく噴霧量を確保して除菌効果を可及的に高め得るようにした消臭除菌装置を提供する。【解決手段】内部中空の装置本体１０内に、安定化二酸化塩素水溶液を貯留する液体貯留槽２０と、液体貯留槽２０に設けられ超音波振動子によって液体貯留槽に貯留されている安定化二酸化塩素水溶液の霧を発生させる霧発生部３０と、霧発生部３０によって発生した霧を一時的に貯留するアキュムレータ部４０と、アキュムレータ部４０と通風路５０を介して接続される吹き出し口６０と、アキュムレータ部４０に貯留された安定化二酸化塩素の霧Ｍを、アキュムレータ部４０から通風路５０を通じて吹き出し口６０に移動させ噴霧する気流を生成するブロア７０と、気流に乗って移動する霧に接触する邪魔板８０とを、備えたことを特徴とする。【選択図】  図１
2009100850.tif 000002
【特許請求の範囲】
【請求項１】
内部中空の装置本体内に、
安定化二酸化塩素水溶液を貯留する液体貯留槽と、
該液体貯留槽に貯留されている安定化二酸化塩素水溶液の霧を発生させる超音波振動子を備えた霧発生手段と、
前記霧発生手段によって発生した霧を一時的に貯留する霧貯留部と、
該霧貯留部と通風路を介して接続される吹き出し口と、
前記霧貯留部に貯留された安定化二酸化塩素の霧を、霧貯留部から通風路を通じて前記吹き出し口に搬送し吹き出し口から噴霧する気流を生成する気流生成手段と、
該気流生成手段によって生成された気流に乗って移動する霧に接触する邪魔板とを、備えたことを特徴とする消臭除菌噴霧装置。
【請求項２】
邪魔板は、霧貯留部から通風路への通風路入口に設けられている請求項１に記載の消臭除菌噴霧装置。
【請求項３】
邪魔板は、垂直方向に対して傾斜している請求項２に記載の消臭除菌噴霧装置。
【請求項４】
邪魔板は気流の進行方向に直列に複数配置されている請求項２又は３に記載の消臭除菌噴霧装置。
【請求項５】
吹き出し口は、装置本体から突出するノズル形状となっている請求項１乃至４のいずれかの項に記載の消臭除菌噴霧装置。
【請求項６】
装置本体には、液体貯留槽に安定化二酸化塩素水溶液を補給するための補給容器が着脱に装着される補給容器収納部が設けられていることを特徴とする請求項１乃至５のいずれかの項に記載の消臭除菌噴霧装置。
【発明の詳細な説明】
【技術分野】
【０００１】
本発明は、たとえば、病院の手術室、病室、トイレ、待合い室、介護施設等、室内に安定化二酸化塩素を霧状に噴霧して消臭除菌を行う消臭除菌噴霧装置に関する。
【背景技術】
【０００２】
近年、病院や介護施設などでノロウィルスや浮遊雑菌などの発生や感染の問題が起きており、患者はもとより病院の医師、看護士、介護施設の介護者などにも施設の衛生面についての不安が高まっている。
【０００３】
従来からこのような施設室内の消臭除菌装置として、抗菌，抗カビ、消臭等に効果のある液体を、従来周知の超音波式の加湿器のように、超音波振動子によって霧化して室内に噴霧する噴霧装置が知られている（たとえば特許文献１参照）。
しかし、この特許文献１では、消臭，除菌に効果のある液体として、たとえば、天然植物性又は有機系複合剤等の抗菌効果又は防カビ効果又は消臭効果を単独又は複合した水溶液を利用する程度のもので、病院等の施設で求められるレベルにはほど遠いのが現状である。
【０００４】
本発明者らは二酸化塩素の高い消臭、除菌機能に着目し、二酸化塩素を超音波振動子を利用して噴霧する装置を考案した。
しかし、超音波振動子によって霧化する場合、あまり霧化する量を多くすると、室内が濡れてしまう。一方、霧化量が少ないと室内が濡れることはなくなるが、除菌効果が弱くなってしまう。
【０００５】
鋭意検討した結果、霧化して濡れるのは、霧粒子の大きさに関係することがわかってきた。空中に噴霧された霧粒子は、やがて蒸発して消えるが、粒径が大きいと、蒸発しにくく室内を濡らす原因となっている。超音波振動子の周波数等の調整で粒径を小さくすることも可能であるが、実際には霧化した後に吹き出されるまでの間に互いにくっついて成長する粒子もあり、一様にはいかない。
【特許文献１】特許公開２００６−８１０３
【発明の開示】
【発明が解決しようとする課題】
【０００６】
本発明は上記した従来技術の課題を解決するためになされたもので、その目的とするところは、安定化二酸化塩素水溶液の霧粒子のうち比較的大きな粒径の粒子を除去し、室内を濡らすことなく噴霧量を確保して除菌効果を可及的に高め得るようにした消臭除菌装置を提供することにある。
【課題を解決するための手段】
【０００７】
上記目的を達成するために、請求項１に係る発明は、内部中空の装置本体内に、安定化二酸化塩素水溶液を貯留する液体貯留槽と、液体貯留槽に貯留されている安定化二酸化塩素水溶液の霧を発生させる超音波振動子を備えた霧発生手段と、霧発生手段によって発生した霧を一時的に貯留する霧貯留部と、霧貯留部と通風路を介して接続される吹き出し口と、霧貯留部に貯留された安定化二酸化塩素の霧を、霧貯留部から通風路を通じて前記吹き出し口に搬送し吹き出し口から噴霧する気流を生成する気流生成手段と、気流生成手段によって生成された気流に乗って移動する霧に接触する邪魔板とを、備えたことを特徴とする。
【０００８】
請求項２に係る発明は、邪魔板は、霧貯留部から通風路への通風路入口に設けられていることを特徴とする。
請求項３に係る発明は、邪魔板は、垂直方向に対して傾斜していることを特徴とする。
請求項４に係る発明は、邪魔板は気流の進行方向に直列に複数枚配置されていることを特徴とする。
【０００９】
請求項５に係る発明は、吹き出し口は、装置本体から突出するノズル形状となっていることを特徴とする。
請求項６に係る発明は、装置本体には、液体貯留槽に安定化二酸化塩素水溶液を補給するための補給容器が着脱に装着される補給容器収納部が設けられていることを特徴とする。
【発明の効果】
【００１０】
請求項１に係る発明によれば、霧発生手段によって霧化された安定化二酸化塩素水溶液が吹き出し口から室内に噴霧され、噴霧された安定化二酸化塩素水溶液の微粒子は蒸発して二酸化塩素ガスが室内に拡散され、室内を消臭，除菌することができる。
また、邪魔板を設けたので、霧粒子のうち、比較的大きい粒子が邪魔板に付着して除去され、軽い比較的小さい粒子が気流に乗って吹き出し口に移動するので、邪魔板が無い場合に比較すると、大きい霧粒子を除去することができ、比較的小さい粒子が噴霧され、直ぐに蒸発して二酸化塩素ガスが効率的に拡散させることができる。
【００１１】
請求項２に係る発明によれば、邪魔板を霧貯留部から通風路への通風路入口部に設けているので、邪魔板に補足された霧粒子は邪魔板を伝って液体貯留槽に戻される。
請求項３に係る発明によれば、邪魔板を傾斜させることにより、邪魔板通過時の抵抗が小さく、流量低下を最小限に抑制することができる。また、液体貯留槽へ落下しやすい。
請求項４に係る発明によれば、邪魔板を複数枚配置することにより、大粒の霧粒子を効率的に除去できる。
【００１２】
請求項５に係る発明によれば、吹き出し口がノズル形状となっているので、ノズルの向きによって、噴霧方向を任意の方向に向けることができる。
請求項６に係る発明によれば、補給容器を着脱自在としたので、メンテナンスは補給容器を交換すればよく、メンテナンスがしやすい。
【発明を実施するための最良の形態】
【００１３】
以下に本発明を図示の実施の形態に基づいて説明する。
図１および図２は、本発明の実施の形態に係る消臭除菌噴霧装置を示している。
すなわち、この消臭除菌噴霧装置１は、内部中空の装置本体１０内に、安定化二酸化塩素水溶液Ｌを貯留する液体貯留槽２０と、液体貯留槽２０に貯留されている安定化二酸化塩素水溶液の霧を発生させる超音波振動子を備えた霧化手段としての霧化部３０と、霧化部３０によって発生した霧を一時的に貯留する霧貯留部としてのアキュムレータ部４０と、アキュムレータ部４０と通風路５０を介して接続される吹き出し口６０と、アキュムレータ部４０に貯留された安定化二酸化塩素の霧Ｍを、アキュムレータ部４０から通風路５０を通じて吹き出し口６０に移動させ吹き出し口６０から噴霧する気流を生成する気流生成手段としてのブロア７０と、気流に乗って移動する霧に接触する邪魔板８０とを、備えた構成となっている。
【００１４】
安定化二酸化塩素は、たとえば、亜塩素酸ナトリウム等の亜塩素酸塩を含む水溶液に緩衝剤を加えてｐＨを調整して安定化させたもの、あるいは二酸化塩素ガスを過酸化炭酸ナトリウム水溶液等に溶解させて安定化させたもの等、各種製品が多数市販されている。いずれも二酸化塩素ガスを徐々に放出するものであり、酸性物質を加えてｐＨを低くしたり、紫外線を照射等により活性化されて二酸化塩素ガスの放出量が増大する。特に成分を限定するものではないが、たとえば、高杉製薬（株）のＴＡ−５００（商品名）（二酸化塩素濃度；５％（５０，０００ｐｐｍ））、ＴＡ−４０（商品名）（二酸化塩素濃度；  ４０００ｐｐｍ）が利用可能である。
【００１５】
装置本体１０は直方体形状の箱体で、液体貯留槽２０、アキュムレータ部４０及び通風路５０は、下から上に縦方向に直列に設けられ、アキュウレータ部４０と通風路５０の間が水平の隔壁１１によって仕切られている。また、これらの３つの構成部分の横に並列に二酸化塩素水溶液を補給するための補給容器である補給タンク９０が着脱自在に収容されるタンク収納部１２が設けられ、このタンク収納部１２と上記３つの構成部分との間は垂直の隔壁１３によって仕切られ、さらに、上記３つの構成部分及びタンク収納部１２の後方には、制御板等の電装部品が収納される電装部１４が設けられている。
【００１６】
この電装部１４と、上記３つの構成部分とタンク収納部１２の間は第２の垂直隔壁１５によって区分けれされている。また、上面開口部は蓋１６が開閉自在に取り付けられている。
電装部１４では、特に図示しないが、電源回路、霧発生部３０の超音波振動子の駆動制御回路、ブロアの駆動制御回路等が組み込まれている。
【００１７】
容器収納部１２の底壁にはタンク受け台１７が設けられている。また、補給容器９０にはバルブ付きのタンクキャップ９１が設けられ、このバルブ付きのタンクキャップ９１によってタンク受け台１７に設けられた受け皿部１８に補給する二酸化塩素水溶液の液面を一定に保っている。この受け皿部１８と液体貯留部２０との間は連通しており、液体貯留部２０の水溶性二酸化塩素の液面高さは受け皿１８と同一で一定となっている。
【００１８】
邪魔板８０は、アキュムレータ部４０から通風路５０への通風路入口部５１に設けられている。この実施例では、邪魔板８０は、通風路入り口部５１のアキュムレータ部側に設けられ、垂直に対して所定角度傾斜する板部材によって構成されている。板部材は図示例では四角形状で、上端が通風路入り口部５１の周辺に固定され、下方に向かって徐々に通風路入り口部５１側に迫り出す方向に傾斜している。
【００１９】
図示例では、この邪魔板８０は気流の進行方向に複数枚、図示例では２枚直列に配置されている。邪魔板８０，８０同士は棒状の連結部材によって連結されている。、
また、吹き出し口６０は、装置本体１０の上面、すなわち蓋体１６に設けられるもので、蓋体１６から上方に突出するノズル６１によって構成されている。
【００２０】
次に、本実施例の消臭除菌噴霧装置の作用について説明する。
霧化部３０によって安定化二酸化塩素水溶液Ｌが霧化され、霧粒子はアキュムレータ部４０に溜まると共に、ブロア７０の回転により生成される気流に乗って、アキュムレータ部から通風路５０を通じて蓋体１６に設けた吹き出しノズル６１の吹き出し口６０から噴霧される。噴霧された安定化二酸化塩素水溶液の霧粒子は蒸発して二酸化塩素ガスが室内に拡散される。
【００２１】
装置本体２０内を気流に乗って移動する際に、霧粒子が邪魔板８０に接触する。この邪魔板８０に接触した霧粒子のうち、比較的大きい粒子は邪魔板８０に付着し、軽い比較的小さい粒子は気流に乗って吹き出し口に移動し、比較的細かい粒子が気流に乗って吹き出し口６０まで移動する。
したがって、邪魔板８０が無い場合に比較すると、邪魔板８０に付着する大きい粒子が除去され、比較的小さい粒子が噴霧されるので、直ぐに蒸発して二酸化塩素ガスが拡散されることになる。
【００２２】
また、邪魔板８０をアキュムレータ部４０に設けているので、邪魔板８０に補足された霧粒子は霧邪魔板８０を伝って液体貯留槽２０に戻される。特に、邪魔板８０が傾斜しているので、邪魔板８０通過時の抵抗が小さく、流量低下を低減し、また、液体貯留槽２０へ落下しやすい。
さらに、邪魔板８０を複数枚配置することにより、大粒の霧粒子を効率的に除去できる。
吹き出し口６０がノズル６１となっているので、ノズル方向によって噴霧方向を規制することができる。
【００２３】
安定化二酸化塩素水溶液が無くなると、図３に示すように、蓋１６を開けて、古いタンクを取り外し、バルブ付きキャップ９１を新しいタンクに付け替えて装着する。
このようにバルブ付きキャップ８０を装着するだけよく、メンテナンスがしやすい。
【００２４】
他の実施の形態
上記実施の形態では、邪魔板８０を通風路入り口部５１に配置したが、通風路５０側に配置してもよいし、通風路５０下流側の吹き出し口１６への入り口に配置してもよい、また、アキュムレータ部４０に配置してもよい。
【００２５】
また、邪魔板の形状，構造は図示の形状に限定されるものではなく、ラッパ形状としてもよいし、種々の形状を選択することができる。また、板材ではなく、パンチングメタルや金網等を用いてもよい。
【図面の簡単な説明】
【００２６】
【図１】図１（Ａ）は本発明の実施の形態に係る消臭除菌噴霧装置の構成を模式的に示す分解透過斜視図、同図（Ｂ）は気流の状態を示す図である。
【図２】図２は図１の邪魔板構成を示すもので、同図（Ａ）は正面断面図、同図（Ｂ）は左側面図、同図（Ｃ）は斜視図である。
【図３】図３は補給タンク交換状態の説明図である。
【符号の説明】
【００２７】
１  消臭除菌噴霧装置
１０  装置本体
Ｌ  安定化二酸化塩素水溶液
２０  液体貯留槽
３０  霧発生部
４０  アキュムレータ部（液体貯留部）
５０  通風路
６０  吹き出し口
Ｍ  霧
７０  ブロア（気流生成手段）
８０  邪魔板
９０  補給タンク（補給容器）
９１  バルブ付きキャップ
【図１】
2009100850.tif 000003
【図２】
2009100850.tif 000004
【図３】
2009100850.tif 000005